(57)【要約】【課題】本発明は、照明機器の施工がしやすいように、電力線搬送方式を利用することができる照明制御システムを提供することを目的とする。【解決手段】請求項１記載の発明は、ブレーカを配設した分電盤１と；前記ブレーカに電気的に接続される照明機器２と；照明機器と前記ブレーカとの間に配設され、照明機器に対して電力線搬送方式で制御信号を処理できる電力線搬送通信機器１ｃと；電力線搬送方式の制御信号により前記ブレーカに接続されている照明機器の個数を計測するカウンター装置１ｄと；を具備していることを特徴とする。【選択図】図１
2004247231.tif 000002
【特許請求の範囲】
【請求項１】
ブレーカを配設した分電盤と；
前記ブレーカに電気的に接続される照明機器と；
照明機器と前記ブレーカとの間に配設され、照明機器に対して電力線搬送方式で制御信号を処理できる電力線搬送通信機器と；
電力線搬送方式の制御信号により前記ブレーカに接続されている照明機器の個数を計測するカウンター装置と；
を具備していることを特徴とする照明制御システム。
【請求項２】
電力線搬送方式の制御信号により、前記照明機器に対して所定のアドレスを設定することができるアドレス設定手段を有することを特徴とする請求項１記載の照明制御システム。
【請求項３】
ネットワークに接続できることを特徴とする請求項１または２記載の照明制御システム。
【発明の詳細な説明】
【０００１】
【産業上の利用分野】本発明は、電力線搬送方式で通信できる機能を備えた照明制御システムに関する。
【０００２】
【従来の技術】従来、データ伝送システムは、伝送路としてそのシステム専用の通信回線（以下、専用線という）を設けたものや、ＬＡＮ（Ｌｏｃａｌ  Ａｒｅａ  Ｎｅｔｗｏｒｋ）  等により構成されている。データ伝送を行うことを前提としていない既存施設において、このようなデータ伝送システムを構築しようとする場合には、新たに伝送路としての専用線またはＬＡＮを敷く必要があり、そのために膨大な費用がかかるという問題がある。そこで、このような問題点を解決する一手段として、既存施設内の既存の電力線をデータの伝送路として使用することで、安価で簡易なデータ伝送システムを構築することが特開平８−１８６５２６号公報（特許文献１）に開示されている。
【０００３】
すなわち、この電力線データ伝送システムは、同系統・同相の電力線に、電力線通信装置を介して接続された複数のデータ端末により構成され、各電力線通信装置は、信号線で各データ端末と接続されている。
【０００４】
この実施例のデータ端末は、送信したいデータを持っているが、送信先のデータ端末（以下、目的局という）と直接通信できない場合には、通信可能なデータ端末を中継局とし、その中継局に対してデータを送信し、送信された中継局が送信局からのデータを目的局に対して送信するように構成されている。なお、送信局と目的局の間には、複数の中継局が存在でき、二重，三重の中継動作が可能である。また、データ端末は、どのデータ端末とも自由に通信し合うことができ、かつ、それぞれ中継機能を持ち、中継アルゴリズムに従って、通信できないデータ端末間の送受信信号を中継するような構成になっている。
【０００５】
また、この種の電力線搬送方式を利用して電源線に接続された電気機器を遠隔操作するホームコントロールシステムは、特開２００２−４４７４８号公報（特許文献２）で知られている。このホームコントロールシステムは、通信装置と電源線と主制御装置と端末制御装置とを備えて構成されている。これらの構成のうち、ホーム（家庭）側には電源線と主制御装置と端末制御装置とが設けられ、通信装置が外部で用いられるようになっている。
【０００６】
通信装置は、有線及び無線を問わず、携帯電話機等である。電源線は、ホームに敷設される既知のＡＣ１００Ｖの商用交流電源線であって、各部屋の各所に配設されるコンセントを備えている。また、電源線の一端には分電盤が接続されている。主制御装置は、電話機が一体になっており、電話回線を通じて外部より、即ち通信装置より送られてくる制御内容に合わせたコマンドを受信して制御信号を生成するように構成されている。また、主制御装置は、プラグ付きコードを有しており、生成された制御信号をプラグ付きコード及び電源線を介して端末制御装置側へ送信することができるように構成されている。上記制御信号は、既知の電力線搬送方式により送信されるようになっている。また、上記制御信号は、制御対象となる端末制御装置に対するアドレスデータが含まれているものとする。
【０００７】
端末制御装置は、最寄りのコンセントに脱着自在に接続できるように構成されている。即ち、端末制御装置には、上記最寄りのコンセントに接続されるプラグが一体に配設されている。端末制御装置は、主制御装置の上記制御信号に基づいて例えば照明装置の起動、停止（ＯＮ／ＯＦＦ）を制御するように構成されている。端末制御装置は、図示しないコンセントを備えており、照明装置に設けられるプラグ付きコードを接続することができるようになっている。
【０００８】
【特許文献１】特開平８−１８６５２６号公報（第５頁、図１）
【０００９】
【特許文献２】特開２００２−４４７４８号公報（第４頁、図１）
【００１０】
【発明が解決しようとする課題】しかしながら、上述した従来の電力線搬送方式を使用したデータ伝送システムは、その機器を設置した後に使用する場合、良好な通信ができないときの対応方法や機器の異常を認識できるように構成したものである。
【００１１】
ところで、照明機器の技術分野では、照明機器をオフィス等の施設に設置する場合、各分電盤毎にその電気容量に注意を払いながら照明機器を配線、施工するようにしていた。すなわち、ブレーカから送り配線された照明などの負荷の台数がブレーカの容量を越えないように考慮しながら配線する必要があった。また、従来、照明器具など制御する際には、照明器具や制御端末機器を配置後にアドレスの割り付けを行っていた。または、制御端末にシリアル番号が付与されており、これを新たに割り付けていた。
【００１２】
本発明は、照明機器の施工がしやすいように、電力線搬送方式を利用することができる照明制御システムを提供することを目的とする。
【００１３】
【課題を解決するための手段】請求項１記載の発明は、ブレーカを配設した分電盤と；前記ブレーカに電気的に接続される照明機器と；照明機器と前記ブレーカとの間に配設され、照明機器に対して電力線搬送方式で制御信号を処理できる電力線搬送通信機器と；電力線搬送方式の制御信号により前記ブレーカに接続されている照明機器の個数を計測するカウンター装置と；を具備していることを特徴とする。
【００１４】
本発明によると、電力線搬送方式で制御信号を処理できる電力線搬送通信機器がブレーカに電気的に接続されている照明機器に対し制御信号を送信し、カウンター装置がこの電気系統に接続されている照明機器の個数をカウントする。したがって、カウンター装置により得られたカウント数がブレーカの容量を超えているか否か判断でき、ブレーカの容量をオーバーしている場合には施工した照明機器を別ブレーカに配線し直しすることが施工時に行うことができる。
【００１５】
請求項２の発明は、請求項１記載の照明制御システムにおいて、電力線搬送方式の制御信号により、前記照明機器に対して所定のアドレスを設定することができるアドレス設定手段を有することを特徴とする。
【００１６】
本発明によると、アドレス設定手段はブレーカに接続された照明機器に対して、電力線搬送方式の制御信号により照明機器毎にアドレスを設定する。したがって、例えば、照明機器を配線した順番に番号を付与することができ、また、アドレスを付与した番号を全て記憶することができるので、アドレス設定が容易に行える。
【００１７】
請求項３の発明は、請求項１または２記載の照明制御システムにおいて、ネットワークに接続できることを特徴とする。
【００１８】
本発明によると、ネットワーク上にコンピュータなどを接続することにより、照明機器のアドレス設定情報を容易に入手できる。
【００１９】
【発明の実施の形態】以下、本発明の一実施の形態である照明制御システムについて図面を参照して説明する。図１は、本発明の一実施の形態を示す照明制御システムを示し、図２は、同じく、ＬＡＮに接続されていることを示す図である。
【００２０】
照明制御システムは、ブレーカを配設した分電盤１と、ブレーカ１ａに電力線を介して電気的に接続される照明機器２と、照明機器とブレーカとの間に電気的に配設され、照明機器に対して電力線搬送方式で制御信号を処理できる電力線搬送通信機器１ｃと、電力線搬送方式の制御信号によりブレーカに接続されている照明機器の個数を計測するカウンター装置１ｄとを具備している。
【００２１】
分電盤１は、ＩからＩＩＩ系統の電源系統のブレーカ１ａを有し、それぞれのブレーカにはノイズカットフィルター１ｂを介して電力線搬送方式で制御信号を入出力できる電力線搬送通信機器１ｃが接続されている。さらに、この電力線搬送通信機器１ｃには、系統ごとに何台の照明機器２が接続しているのかを計測するカウンター装置１ｄおよび各照明機器２にアドレスを付与するアドレス設定手段１ｅがそれぞれ接続されている。本実施の形態では、Ｉ系統に４台の照明機器、ＩＩ系統に３台の照明機器、そしてＩＩＩ系統に２台の照明機器が接続されるように構成されている。
【００２２】
本実施の形態では、電力線搬送通信機器１ｃがブレーカ１ａに電気的に接続されている照明機器２に対し制御信号を送信し、カウンター装置１ｄがこの電気系統に接続されている照明機器２の個数をカウントする。したがって、カウンター装置１ｄにより得られたカウント数がブレーカ１ａの容量を超えているか否か判断でき、ブレーカ１ａの容量をオーバーしている場合には施工した照明機器２を別ブレーカに配線し直しすることが施工時に行うことができる。
【００２３】
すなわち、照明機器２には、電力線搬送通信機器１ｃから照明機器２に対して送信された制御信号を照明機器２で受信し、この制御信号と異なる信号を次の照明機器２に送ることのできる装置を具備している。例えば、電力線搬送通信機器１ｃから照明機器２に対しては、１パルスの信号を送信し、次の照明機器２は２パルスの信号を送信し、以下、次の照明機器２は３パルスの信号というように、順じ送信するようにして照明機器２の個数をカウントするようにしている。
【００２４】
また、本実施の形態では、照明制御システムにおいて、電力線搬送方式の制御信号により、照明機器２に対して所定のアドレスを設定することができるアドレス設定手段１ｅを有する。したがって、アドレス設定手段１ｅはブレーカ１ａに接続された照明機器２に対して、電力線搬送方式の制御信号により照明機器２毎に、例えば、照明機器２を配線した順番に番号を付与することができ、また、アドレスを付与した番号を全て記憶することができるので、アドレス設定が容易に行える。
【００２５】
また、本照明制御システムにおいては、図２に示すように、分電盤がネットワークに接続でき、同様にネットワーク上にコンピュータ３などを接続することにより、照明機器２のアドレス設定情報を容易に入手できる。
【００２６】
【発明の効果】請求項１の発明では、電力線搬送方式で制御信号を処理できる電力線搬送通信機器がブレーカに電気的に接続されている照明機器に対し制御信号を送信し、カウンター装置がこの電気系統に接続されている照明機器の個数をカウントするので、カウンター装置により得られたカウント数がブレーカの容量を超えているか否か判断でき、ブレーカの容量をオーバーしている場合には施工した照明機器を別ブレーカに配線し直しすることが施工時に行うことができる。
【００２７】
請求項２の発明では、さらに、アドレス設定手段はブレーカに接続された照明機器に対して、電力線搬送方式の制御信号により照明機器毎にアドレスを設定する。したがって、例えば、照明機器を配線した順番に番号を付与することができ、また、アドレスを付与した番号を全て記憶することができるので、アドレス設定が容易に行える。
【００２８】
請求項３の発明では、さらに、ネットワーク上にコンピュータなどを接続することにより、照明機器のアドレス設定情報を容易に入手できる。
【図面の簡単な説明】
【図１】本発明の一実施の形態を示す照明制御システム。
【図２】同じく、ＬＡＮに接続されていることを示す図。
【図１】
2004247231.tif 000003
【図２】
2004247231.tif 000004